【手続補正書】
【提出日】平成15年4月23日(2003.4.23)
【手続補正１】
【補正対象書類名】明細書
【補正対象項目名】特許請求の範囲
【補正方法】変更
【補正の内容】
【特許請求の範囲】
【請求項１】
遊技用プログラムを内蔵し、該遊技用プログラムの正当性を判断する機能を備えた遊技用演算処理装置において、
外部からの識別情報を受け取る識別情報受取手段と、
識別情報受取手段により受け取った識別情報を判定する識別情報判定手段と、
識別情報判定手段により真と判定された場合に、自己を特定させる自己特定認識情報を外部に送出する確認手段と、
を備えたことを特徴とする遊技用演算処理装置。
【請求項２】
前記自己特定認識情報は、
正規の遊技用演算処理装置であることを識別する特定コードであって、
予め遊技用演算処理装置に記録されていることを特徴とする請求項１記載の遊技用演算処理装置。
【請求項３】
遊技用演算処理装置は、内蔵ＲＯＭを含み、
該内蔵ＲＯＭには、管理プログラム領域と遊技用プログラムがあるユーザープログラム領域とがあり、
管理プログラム領域で行われるユーザープログラムの正当性の判断が正常であれば、管理プログラム領域からユーザープログラム領域に切り換えるものであって、
前記特定コードは管理プログラム領域に記憶されることを特徴とする請求項２記載の遊技用演算処理装置。
【請求項４】
遊技用演算処理装置は、
役物制御装置に備えられたワンチップのＩＣであって、
前記役物制御装置に設けられたコネクタにより外部と連絡することを特徴とする請求項１乃至請求項３の何れかに記載の遊技用演算処理装置。
【請求項５】
前記識別情報受取手段は、
外部から放射された識別情報を含む電磁波を捕捉し、
前記確認手段は、
電磁波により自己特定認識情報を外部に放射することを特徴とする請求項１乃至請求項３の何れかに記載の遊技用演算処理装置。
【請求項６】
前記確認手段は、前記遊技用演算処理装置と一体的に構成される自己特定確認装置であって、
前記自己特定確認装置は、少なくとも遊技用演算処理装置を構成するＣＰＵ、内蔵ＲＯＭ、内蔵ＲＡＭから独立して設けられることを特徴とする請求項１乃至請求項３の何れかに記載の遊技用演算処理装置。
【請求項７】
遊技用プログラムを内蔵し該遊技用プログラムの正当性を判断する機能を備えた遊技用演算処理装置に対して、その正当性を外部から判定する確認装置であって、
該確認装置は、
真の確認装置であることを識別する識別情報を送出する識別情報送出手段と、
識別情報送出手段により送出された識別情報を遊技用演算処理装置が受け取って、真の確認装置であると判定して、送出してきた自己特定認識情報を受け取って、該自己特定認識情報を真と判定した場合に、遊技用演算処理装置の正当性を確認する正当性確認手段と、
を備えていることを特徴とする遊技用演算処理装置の正当性を確認する確認装置。
【請求項８】
遊技用プログラムを内蔵し該遊技用プログラムの正当性を判断する機能を備えた遊技用演算処理装置に対して、その正当性を外部から判定する確認装置であって、
前記確認装置は、
前記遊技用演算処理装置から出力された自己特定認識情報を読み込み、
前記遊技用演算処理装置から読み込んだ自己特定認識情報と、予め入力しておいた自己特定認識情報とを比較して自己特定認識情報が正常であるかどうかを判定し、
前記遊技用演算処理装置から読み込んだ自己特定認識情報が正常であると判定すると正常状態報知を行うことを特徴とする遊技用演算処理装置の正当性を確認する確認装置。
【請求項９】
遊技用プログラムを内蔵し、該遊技用プログラムの正当性を判断する機能を備えた遊技用演算処理装置に対して、確認装置により外部から遊技用演算処理装置の正当性を判定して確認する遊技用演算処理装置の正当性確認方法であって、
確認装置が真の確認装置であることを識別する識別情報を送出し、
遊技用演算処理装置が確認装置の送出した識別情報を受け取って真であるか否かを判定し、
該識別情報を真であると判定した場合に遊技用演算処理装置を特定させる自己特定認識情報を確認装置に送出し、
確認装置が遊技用演算処理装置から送出された自己特定認識情報を受け取って真であるか否かを判定し、真と判定した場合に、確認装置で遊技用演算処理装置の正当性を確認することを特徴とする遊技用演算処理装置の正当性確認方法。
【請求項１０】
遊技用プログラムを内蔵し、該遊技用プログラムの正当性を判断する機能を備えた遊技用演算処理装置において、
前記遊技用演算処理装置は、該遊技用演算処理装置と一体的に構成される自己特定確認装置を備え、
前記自己特定確認装置は、
外部より放射された識別情報を含む電磁波を捕捉し、電力変換する電力変換手段と、
電力変換手段によって捕捉された外部よりの放射電磁波から識別情報を判定する識別情報判定手段と、
識別情報判定手段により真と判定された場合に、自己を特定させる自己特定認識情報を送出する確認手段と、
を備えることを特徴とする遊技用演算処理装置。
【請求項１１】
前記自己特定認識情報は、
正規の遊技用演算処理装置であることを識別する特定コードであって、
前記自己特定確認装置に格納されていることを特徴とする請求項１０記載の遊技用演算処理装置。
【請求項１２】
前記自己特定確認装置は、遊技用演算処理装置のチップ内部に予め埋め込まれることを特徴とする請求項１０又は請求項１１記載の遊技用演算処理装置。
【請求項１３】
前記自己特定確認装置は、遊技用演算処理装置におけるどの回路とも接続関係になく、独立していることを特徴とする請求項１０乃至請求項１２の何れかに記載の遊技用演算処理装置。
【請求項１４】
前記自己特定確認装置は、遊技用演算処理装置におけるどの回路とも接続関係になく、電源の供給を受けていないことを特徴とする請求項１０乃至請求項１３の何れかに記載の遊技用演算処理装置。
【請求項１５】
外部より放出された電磁波を捕捉し、電力変換する電力変換手段と、
電力変換手段によって電力の供給を受けて、自己を特定させる自己特定認識情報を送出する確認手段と、
を備える自己特定確認装置を遊技部品と一体的に構成して備えることを特徴とする遊技機。
【請求項１６】
外部より放射された識別情報を含む電磁波を捕捉し、電力変換する電力変換手段と、
電力変換手段によって捕捉された外部よりの放射電磁波から識別情報を判定する識別情報判定手段と、
識別情報判定手段により真と判定された場合に、自己を特定させる自己特定認識情報を送出する確認手段と、
を備える自己特定確認装置を遊技部品と一体的に構成して備えることを特徴とする遊技機。
【手続補正２】
【補正対象書類名】明細書
【補正対象項目名】００１２
【補正方法】変更
【補正の内容】
【００１２】
また、好ましい態様として、例えば請求項２記載のように、前記自己特定認識情報は、
正規の遊技用演算処理装置であることを識別する特定コードであって、
予め遊技用演算処理装置に記録されているようにしてもよい。
例えば請求項３記載のように、遊技用演算処理装置は、内蔵ＲＯＭを含み、
該内蔵ＲＯＭには、管理プログラム領域と遊技用プログラムがあるユーザープログラム領域とがあり、
管理プログラム領域で行われるユーザープログラムの正当性の判断が正常であれば、管理プログラム領域からユーザープログラム領域に切り換えるものであって、
前記特定コードは管理プログラム領域に記憶されるようにしてもよい。
例えば請求項４記載のように、遊技用演算処理装置は、
役物制御装置に備えられたワンチップのＩＣであって、
前記役物制御装置に設けられたコネクタにより外部と連絡するようにしてもよい。
例えば請求項５記載のように、前記識別情報受取手段は、
外部から放射された識別情報を含む電磁波を捕捉し、
前記確認手段は、
電磁波により自己特定認識情報を外部に放射するようにしてもよい。
例えば請求項６記載のように、前記確認手段は、前記遊技用演算処理装置と一体的に構成される自己特定確認装置であって、
前記自己特定確認装置は、少なくとも遊技用演算処理装置を構成するＣＰＵ、内蔵ＲＯＭ、内蔵ＲＡＭから独立して設けられるようにしてもよい。
【手続補正３】
【補正対象書類名】明細書
【補正対象項目名】００１３
【補正方法】変更
【補正の内容】
【００１３】
請求項７記載の遊技用演算処理装置の正当性を確認する確認装置は、遊技用プログラムを内蔵し該遊技用プログラムの正当性を判断する機能を備えた遊技用演算処理装置に対して、その正当性を外部から判定する確認装置であって、
該確認装置は、
真の確認装置であることを識別する識別情報を送出する識別情報送出手段と、
識別情報送出手段により送出された識別情報を遊技用演算処理装置が受け取って、真の確認装置であると判定して、送出してきた自己特定認識情報を受け取って、該自己特定認識情報を真と判定した場合に、遊技用演算処理装置の正当性を確認する正当性確認手段と、を備えていることを特徴とする。
請求項８記載の遊技用演算処理装置の正当性を確認する確認装置は、遊技用プログラムを内蔵し該遊技用プログラムの正当性を判断する機能を備えた遊技用演算処理装置に対して、その正当性を外部から判定する確認装置であって、
前記確認装置は、
前記遊技用演算処理装置から出力された自己特定認識情報を読み込み、
前記遊技用演算処理装置から読み込んだ自己特定認識情報と、予め入力しておいた自己特定認識情報とを比較して自己特定認識情報が正常であるかどうかを判定し、
前記遊技用演算処理装置から読み込んだ自己特定認識情報が正常であると判定すると正常状態報知を行うことを特徴とする。


【手続補正４】
【補正対象書類名】明細書
【補正対象項目名】００１４
【補正方法】変更
【補正の内容】
【００１４】
請求項９記載の遊技用演算処理装置の正当性確認方法は、遊技用プログラムを内蔵し、該遊技用プログラムの正当性を判断する機能を備えた遊技用演算処理装置に対して、確認装置により外部から遊技用演算処理装置の正当性を判定して確認する遊技用演算処理装置の正当性確認方法であって、
確認装置が真の確認装置であることを識別する識別情報を送出し、
遊技用演算処理装置が確認装置の送出した識別情報を受け取って真であるか否かを判定し、
該識別情報を真であると判定した場合に遊技用演算処理装置を特定させる自己特定認識情報を確認装置に送出し、
確認装置が遊技用演算処理装置から送出された自己特定認識情報を受け取って真であるか否かを判定し、真と判定した場合に、確認装置で遊技用演算処理装置の正当性を確認することを特徴とする。
請求項１０記載の遊技用演算処理装置は、遊技用プログラムを内蔵し、該遊技用プログラムの正当性を判断する機能を備えた遊技用演算処理装置において、
前記遊技用演算処理装置は、該遊技用演算処理装置と一体的に構成される自己特定確認装置を備え、
前記自己特定確認装置は、
外部より放射された識別情報を含む電磁波を捕捉し、電力変換する電力変換手段と、
電力変換手段によって捕捉された外部よりの放射電磁波から識別情報を判定する識別情報判定手段と、
識別情報判定手段により真と判定された場合に、自己を特定させる自己特定認識情報を送出する確認手段と、を備えることを特徴とする。
例えば請求項１１記載のように、前記自己特定認識情報は、
正規の遊技用演算処理装置であることを識別する特定コードであって、
前記自己特定確認装置に格納されているようにしてもよい。
例えば請求項１２記載のように、前記自己特定確認装置は、遊技用演算処理装置のチップ内部に予め埋め込まれるようにしてもよい。
例えば請求項１３記載のように、前記自己特定確認装置は、遊技用演算処理装置におけるどの回路とも接続関係になく、独立しているようにしてもよい。
例えば請求項１４記載のように、前記自己特定確認装置は、遊技用演算処理装置におけるどの回路とも接続関係になく、電源の供給を受けていないようにしてもよい。


【手続補正５】
【補正対象書類名】明細書
【補正対象項目名】００１５
【補正方法】変更
【補正の内容】
【００１５】
請求項１５記載の遊技機は、外部より放出された電磁波を捕捉し、電力変換する電力変換手段と、
電力変換手段によって電力の供給を受けて、自己を特定させる自己特定認識情報を送出する確認手段と、
を備える自己特定確認装置を遊技部品と一体的に構成して備えることを特徴とする。
請求項１６記載の遊技機は、外部より放射された識別情報を含む電磁波を捕捉し、電力変換する電力変換手段と、
電力変換手段によって捕捉された外部よりの放射電磁波から識別情報を判定する識別情報判定手段と、
識別情報判定手段により真と判定された場合に、自己を特定させる自己特定認識情報を送出する確認手段と、
を備える自己特定確認装置を遊技部品と一体的に構成して備えることを特徴とする。


【手続補正６】
【補正対象書類名】明細書
【補正対象項目名】００８０
【補正方法】変更
【補正の内容】
【００８０】
請求項２記載の発明によれば、自己特定認識情報は、正規の遊技用演算処理装置であることを識別する特定コードであって、予め遊技用演算処理装置に記録されていることにより、遊技用演算処理装置の正当性を確認することができる。
請求項４記載の発明によれば、遊技用演算処理装置は、役物制御装置に備えられたワンチップのＩＣであって、役物制御装置に設けられたコネクタにより外部と連絡することにより、遊技用演算処理装置の検査の過程で役物制御基盤のＩＣソケットに遊技用演算処理装置を装着したままでよく、脱着する必要がないから、検査作業を効率良く容易に行うことができる。
請求項５記載の発明によれば、電磁波を使用して識別情報の受信や自己特定認識情報の送信を行うことにより、ＩＣクリップで遊技用演算処理装置のピンを挟み込む作業が必要でなく、操作性が良い。
また、電磁波を使用しているので、遊技用演算処理装置の正当性の確認を効率良く容易に行うことができる。特に、遊技用演算処理装置を構成するＩＣチップのピン数が多い場合には、この効果は有意義である。
請求項６記載の発明によれば、確認手段を遊技用演算処理装置と一体的に構成することにより、自己特定認識情報を盗用した遊技用演算処理装置の偽造をより困難にすることができる。
【手続補正７】
【補正対象書類名】明細書
【補正対象項目名】００８１
【補正方法】変更
【補正の内容】
【００８１】
請求項７記載の発明によれば、遊技用演算処理装置に対して識別情報を送出し、遊技用演算処理装置から自己特定認識情報が送出されてきた場合に、自己特定認識情報を受け取って判定し、真と判断すると遊技用演算処理装置の正当性を確認することにより、外部から極めて簡単に遊技用演算処理装置が正規のものであるどうかを判定できる確認装置を得ることができる。
したがって、遊技用演算処理装置に内蔵された遊技用プログラムが正当なものであるかあるいは偽造されたものであるかの確認を容易に行うことができる。
また、遊技用演算処理装置に遊技用プログラムを内蔵するタイプであって、遊技用演算処理装置全体を交換されたとしても、外部から遊技用プログラムの正当性あるいは偽造を判断することができ、不正を確実に防ぐことが可能になる。
遊技用演算処理装置に識別情報を送信して検査する過程で、遊技用演算処理装置を装着したままでよく、脱着する必要がないから、遊技用演算処理装置の正当性判定を効率良く容易に行うことができる。
安全性を高めるために、例えばＩＣソケットを利用しないで遊技用演算処理装置に配線が直接に半田付けされているような場合にも、遊技用演算処理装置の正当性確認を効率良く容易に行うことができる。


【手続補正８】
【補正対象書類名】明細書
【補正対象項目名】００８２
【補正方法】変更
【補正の内容】
【００８２】
請求項８記載の発明によれば、遊技用演算処理装置から読み込んだ自己特定認識情報が正常であると判定すると正常状態報知を行うことにより、容易に遊技用演算処理装置が正規か偽物かを認識することができる。
請求項９記載の発明によれば、確認装置から遊技用演算処理装置に対して識別情報を送出し、遊技用演算処理装置で識別情報を受け取って真と判定すると、遊技用演算処理装置から確認装置に自己特定認識情報を送出し、確認装置で自己特定認識情報を受け取って判定し、真と判断すると遊技用演算処理装置の正当性を確認することにより、外部から極めて簡単に遊技用演算処理装置が正規のものであるどうかを判定することができる。
したがって、遊技用演算処理装置に内蔵された遊技用プログラムが正当なものであるかあるいは偽造されたものであるかの確認を容易に行うことができる。
また、遊技用演算処理装置に遊技用プログラムを内蔵するタイプであって、遊技用演算処理装置全体を交換されたとしても、外部から遊技用プログラムの正当性あるいは偽造を判断することができ、不正を確実に防ぐことが可能になる。
遊技用演算処理装置に識別情報を送信して検査する過程で、遊技用演算処理装置を装着したままでよく、脱着する必要がないから、遊技用演算処理装置の正当性判定を効率良く容易に行うことができる。
安全性を高めるために、例えばＩＣソケットを利用しないで遊技用演算処理装置に配線が直接に半田付けされているような場合にも、遊技用演算処理装置の正当性確認を効率良く容易に行うことができる。


【手続補正９】
【補正対象書類名】明細書
【補正対象項目名】００８３
【補正方法】変更
【補正の内容】
【００８３】
請求項１０記載の発明によれば、遊技用演算処理装置に、自己特定機能を有する自己特定確認装置を備えることより、自己特定認識情報を盗用した遊技用演算処理装置の偽造をより困難にすることができる。
また、自己特定確認装置に電力変換手段を設けることにより、電磁波エネルギーを電力に変換して作動することができ、自己特定確認装置が遊技用演算処理装置から電源供給を受ける必要がなく、経済的である。


【手続補正１０】
【補正対象書類名】明細書
【補正対象項目名】００８４
【補正方法】変更
【補正の内容】
【００８４】
請求項１１記載の発明によれば、自己特定認識情報は、正規の遊技用演算処理装置であることを識別する特定コードであって、自己特定確認装置に格納されていることにより、遊技用演算処理装置の正当性を確認することができる。
請求項１２記載の発明によれば、自己特定確認装置は、遊技用演算処理装置のチップ内部に予め埋め込まれることにより、自己特定認識情報を盗用した遊技用演算処理装置の偽造をより困難にすることができる。
請求項１５記載の発明によれば、遊技機は、外部より放出された電磁波を捕捉し、電力変換する電力変換手段と、電力変換手段によって電力の供給を受けて、自己を特定させる自己特定認識情報を送出する確認手段と、を備える自己特定確認装置を遊技部品と一体的に構成して備えることにより、正規の遊技部品であることの正当性を容易に確認することができる。
請求項１６記載の発明によれば、遊技機は、外部より放射された識別情報を含む電磁波を捕捉し、電力変換する電力変換手段と、電力変換手段によって捕捉された外部よりの放射電磁波から識別情報を判定する識別情報判定手段と、識別情報判定手段により真と判定された場合に、自己を特定させる自己特定認識情報を送出する確認手段と、を備える自己特定確認装置を遊技部品と一体的に構成して備えることにより、正規の遊技部品であることの正当性を容易に確認することができる。